(57)【要約】      （修正有）【課題】随時随所でも即座に観測でき、更に正確で迅速に空気品質の観測データを提供し、並びに空気品質通報メカニズムと空気品質処理メカニズム等を作動させることができる空気品質通報装置を提供する。【解決手段】空気品質通報装置１は、アクチュエータセンサモジュール１０と第一通信モジュール２０を含み、アクチュエータセンサモジュールはセンサ１１とアクチュエータ１３を含み、アクチュエータはセンサの隣に設置され、センサはアクチュエータが送った気体を観測し、空気品質データを算出する。また、第一通信モジュールはアクチュエータセンサモジュールと電気的接続をし、前記空気品質データを受け取り、前記空気品質データを伝送する構成とする。【選択図】図１
2019027777.tif 000002
【特許請求の範囲】
【請求項１】
センサと、アクチュエータと、を包有し、前記アクチュエータは、前記センサに隣接し、前記センサは前記アクチュエータが輸送する気体を観測し、空気品質データを作成するアクチュエータセンサモジュールと、
前記アクチュエータセンサモジュールと電気的連接し、前記空気品質データを受信し、前記空気品質データを送信するために用いる第一通信モジュールと、を包含することを特徴とする空気品質通報装置。
【請求項２】
そのうち、前記空気品質通報装置は、更にマイクロプロセッサを包含し、前記アクチュエータセンサモジュールと電気的連接することを特徴とする請求項１に記載の空気品質通報装置。
【請求項３】
そのうち、前記空気品質通報装置は、更に電源を包含することを特徴とする請求項２に記載の空気品質通報装置。
【請求項４】
そのうち、前記電源は、グラフェン電池を包含することを特徴とする請求項３に記載の空気品質通報装置。
【請求項５】
前記空気品質通報装は、前記第一通信モジュールを介して、電子装置と電気的連接し、前記電子装置は、携帯式装置とすることを特徴とする請求項１に記載の空気品質通報装置。
【請求項６】
ポータブル式電子裝置は、携帯電話、タブレットパソコン、ノート型パソコン、ウェアラブルデバイス、腕時計、スマートブレスレットまたはスマートグラスのうち、少なくとも一つとすることを特徴とする請求項５に記載の空気品質通報装置。
【請求項７】
積載パーツを設置することを特徴とする請求項１に記載の空気品質通報装置。
【請求項８】
前記積載パーツは、帽子、眼鏡、ネックレス、イヤリング、イヤホン、衣服、ポケット袋、ズボン、腕時計、ブレスレット、携帯電話、ポータブルバッテリ、携帯電話アクセサリ、携帯電話保護ケース、マスク、財布、ハンドバッグ、靴、キーホルダー、ベルトのうちの一つとすることを特徴とする請求項７に記載の空気品質通報装置。
【請求項９】
前記積載パーツは、ポータブル式電子裝置とすることができ、前記ポータブル式電子裝置は、携帯電話、タブレットパソコン、ノート型パソコン、ウェアラブルデバイス、腕時計、スマートブレスレットまたはスマートグラスのうち、少なくとも一つとすることを特徴とする請求項７に記載の空気品質通報装置。
【請求項１０】
前記空気品質データは、酸化炭素濃度、二酸化炭素濃度、酸素濃度、微小粒子(ＰＭ２.５)濃度、浮遊粒子(ＰＭ１０)濃度、オゾン(Ｏ３)濃度、揮發性有機化合物(ＶＯＣ)濃度、二酸化硫黄濃度、二酸化窒素濃度、濕度濃度、アルコール濃度、窒素濃度、メタノール濃度、ウィルスデータ、細菌データ、微生物データのうち、少なくとも一つまたはその組み合わせとすることを特徴とする請求項１に記載の空気品質通報装置。
【請求項１１】
前記アクチュエータは、圧電アクチュエータポンプとし、前記圧電アクチュエータポンプは、少なくとも一つの吸気孔と、少なくとも１つの合流ガイドと、合流チャンバを構成する中心凹部と、を有し、そのうち、前記吸気孔は、流体を導入し、前記合流ガイドは、前記吸気孔に対応し、且つ、前記吸気孔の流体を前記中心凹部が構成する前記合流チャンバまで合流させる吸気板と、
前記合流チャンバに対応する中空孔洞を有し、且つ前記中空孔洞の周辺は可動部とする共振辺と、
前記共振辺に対応して設置する圧電アクチュエータと、を包含し、
そのうち、前記共振辺と、前記圧電アクチュエータと、の間には第一チャンバを形成する間隙を有し、前記圧電アクチュエータが駆動した際、流体は前記吸気板にある少なくとも一つの前記吸気孔より導入され、少なくとも一つの前記合流ガイドを経て、前記中心凹部に集合し、前記共振片にある前記中空孔洞を通して、前記第一チャンバ内へ進入し、前記圧電アクチュエータと、前記共振片にある可動部により、共振を発生し、流体を輸送することを特徴とする請求項１に記載の空気品質通報装置。
【請求項１２】
前記圧電アクチュエータは、正方形の構造であり第一表面と、第二表面を有し、且つ湾曲振動ができる懸吊板と、
前記懸吊板の外側を囲繞する外枠と、
前記懸吊板と、前記外枠と、の間を連接し、弾性支持を提供する少なくとも一つのフレームと、  
長辺を有し、前記長辺が前記懸吊板の長辺より、小さい或いは同等であり、且つ、前記懸吊板の前記第一表面上に張り付き、電圧を加えることで前記懸吊板を駆動して湾曲振動する圧電片と、を包含することを特徴とする請求項１１に記載の空気品質通報装置。
【請求項１３】
前記空気品質通報装置は、前記第一通信モジュールにより前記空気品質データを空気品質処理装置にある第二通信モジュールまで送ることを特徴とする請求項１に記載の空気品質通報装置。
【請求項１４】
少なくとも一つの前記空気品質処理装置は、少なくとも一つのスマート家電とし、前記スマート家電処理メカニズムは、前記少なくとも一つのスマート家電を起動することを特徴とする請求項１３に記載の空気品質通報システム。
【請求項１５】
前記スマート家電は、空気清淨機、除湿器、排気ファン、電動ドア、電動窓、自動クリーニングロボット、エアコンのうち、少なくとも一つまたはそのいずれかの組み合わせとすることを特徴とする請求項１４に記載の空気品質通報システム。
【請求項１６】
少なくとも１つのセンサと、少なくとも１つのアクチュエータと、を包含し、前記アクチュエータは、前記センサに隣接し、前記センサは、前記アクチュエータが輸送する気体を観測し、少なくとも一つの空気品質データを生産する少なくとも１つのアクチュエータセンサモジュールと、
前記アクチュエータセンサモジュールと電気的連接し、前記空気品質データを受信し、前記空気品質データを送信するためにも用いる少なくとも１つの第一通信モジュールと、を包含することを特徴とする空気品質通報装置。
【発明の詳細な説明】
【技術分野】
【０００１】
本願発明は、空気品質通報装置であって、特に即座随所にて空気品質を通知できる空気品質通報装置である。
【背景技術】
【０００２】
現在、人々が生活する上で、例えば、一酸化炭素、二酸化炭素、揮発性有機化合物（Ｖｏｌａｔｉｌｅ  Ｏｒｇａｎｉｃ  Ｃｏｍｐｏｕｎｄ、ＶＯＣ）、ＰＭ２．５、一酸化窒素、一酸化硫黄などの環境中の空気品質の需要は重要視されてきており、環境中にこれらの気体の露呈が人体の健康に悪影響を引き起こし、ひいては生命にも重大な危害を及ぼす。そのため環境中の空気品質の良し悪しの重視が各国で錯綜しており、現在差し迫っている重要な課題である。
【０００３】
どのようにして空気品質の良し悪しを確認するのか、センサを利用し周囲の環境を測定することは実行し得ることであり、もしすぐに観測結果が得られるならば、その環境にいる人へ警告でき、即時に防止もしくは非難でき、環境中の気体の露呈による人体に影響や障害を回避できるため、センサを利用した周囲の環境を測定することは非常に良い応用であると言える。
【０００４】
もう一つ、環境の空気品質の観測は現在大型の環境観測基地局で観測を行っているが、観測結果は大きな地域を対象とした環境中の空気の品質の観測しかできず、人々の身の回りの環境中の空気の品質は正確な観測ができず、たとえば、室内の空気の品質、身の回りの空気の品質は有効な迅速な観測はできず、よって、現在の空気品質の観測は随時随所にて有効な測定をすることはできない。
【０００５】
現在の空気品質の観測は随時随所にて有効な測定をすることができず、空気品質を改善する作業も空気品質が本当に改善されたのか知るすべがなく、改善の程度も確認できないため、もし空気品質がすでに改善していて、即時に確認できない場合、空気品質を改善する作業を重複して実行し、無駄な仕事となるだけではなく、非常にエネルギの浪費となる。
【０００６】
これを鑑み、どのように随時随所でも即座に観測でき、更に正確で迅速に空気品質の観測データを提供し、並びに空気品質通報メカニズムと空気品質処理メカニズム等を作動させるかが、現在解決を要する問題となっている。
【発明の概要】
【発明が解決しようとする課題】
【０００７】
本願発明の主な目的は空気品質通報装置を提供することであり、アクチュエータセンサモジュールは、センサと、アクチュエータと、を有し、前記アクチュエータは、前記センサに隣接し、前記センサは、前記アクチュエータの気体輸送を観測し、空気品質データを生産するアクチュエータセンサモジュールと、前記アクチュエータセンサモジュールと電気的連接し、前記吸気品質データを受信して、前記空気品質データを受信する第一通信モジュールと、を包含している。
【図面の簡単な説明】
【０００８】
【図１】図１は本発明の空気品質通報装置の最良の実施例１のブロック図である。
【図２】図２は本発明の空気品質通報装置の最良の実施例２のブロック図である。
【図３】図３は本発明の空気品質通報装置の最良の実施例３のブロック図である。
【図４】図４は本発明の空気品質通報装置の最良の実施例４のブロック図である。
【図５】図５は本発明の空気品質通報装置の最良の実施例５のブロック図である。
【図６Ａ】図６Ａは本発明のアクチュエータに流体アクチュエータを採用した異なる角度の分解図である。
【図６Ｂ】図６Ｂは本発明のアクチュエータに流体アクチュエータを採用した異なる角度の分解図である。
【図７】図７は図６Ａ及び図６Ｂの圧電アクチュエータの断面図である。
【図８】図８は本発明のアクチュエータに流体アクチュエータを採用した断面図である。
【図９Ａ】図９Ａは本発明のアクチュエータに流体アクチュエータを採用した作動の流れを示す断面図である。
【図９Ｂ】図９Ｂは本発明のアクチュエータに流体アクチュエータを採用した作動の流れを示す断面図である。
【図９Ｃ】図９Ｃは本発明のアクチュエータに流体アクチュエータを採用した作動の流れを示す断面図である。
【図９Ｄ】図９Ｄは本発明のアクチュエータに流体アクチュエータを採用した作動の流れを示す断面図である。
【図９Ｅ】図９Ｅは本発明のアクチュエータに流体アクチュエータを採用した作動の流れを示す断面図である。
【発明を実施するための形態】
【０００９】
本願発明の特徴とメリットを体現する典型的な実施例は後半の説明で詳細に記述する。本願発明において異なる形態の上で様々な変化が十分にあり、そのすべてが本願発明の範囲から逸脱せず、かつその中の説明および図が本質的に説明するために用いられ、本願発明を制限するためではないことを理解されるべきである。
【００１０】
図１乃至図５を参照すると、本願発明の空気品質通報装置１は、少なとも１つのアクチュエータセンサモジュール１０と、少なくとも一つのセンサ１１と、少なくとも一つのアクチュエータ１３と、少なくとも一つ生産される空気品質データと、少なくとも一つの第一通信モジュール２０と、を包含し、以下の実施例において、前記アクチュエータセンサモジュール１０と、前記センサ１１と、前記アクチュエータ１３と、生産された前記空気品質データと、前記第一通信モジュール２０と、は、１つで説明を行っているが、これに限るものではなく、前記アクチュエータセンサモジュール１０と、前記センサ１１と、前記アクチュエータ１３と、生産された前記空気品質データと、前記第一通信モジュール２０と、は、複数個の組み合わせとしても良い。
【００１１】
図１を参照すると、本願発明に係る空気品質通報装置の第一実施例であり、本願発明の空気品質通報装置１は、アクチュエータセンサモジュール１０と、第一通信モジュール２０と、を包含し、前記第一通信モジュール２０は、前記アクチュエータセンサモジュール１０と、電気的に連接し、前記アクチュエータセンサモジュール１０は、センサ１１と、アクチュエータ１３と、を有し、前記センサ１１は、前記アクチュエータ１３の隣に設置し、 前記アクチュエータ１３は、前記空気品質通報装置１外の空気を吸入させ、前記センサ１１まで送り、前記センサ１１は、前記アクチュエータ１３が送った空気を検知し、空気品質データを算出し、前記空気品質データを前記第一通信モジュール２０へ送ることで、前記空気品質通報装置１は前記第一通信モジュール２０によって、外部へ前記空気品質データを送信ことができる。
【００１２】
図１を続けて参照すると、前記空気品質通報装置１は、更にマイクロプロセッサ３０を包含し、前記マイクロプロセッサ３０は、前記アクチュエータセンサモジュール１０と電気的に連接し、前記空気品質データを受信し、また、前記アクチュエータ１３を制御することもできる。
【００１３】
図２を参照すると、本願発明の空気品質通報装置の最良の実施例２は、本実施例の空気品質通報処理装置１と第一実施例はほぼ同じであるが、空気品質通報処理装置１は、電源４０を更に包含し、前記電源４０は、前記マイクロプロセッサ３０と電気的に連接し、空気品質通報装置１を作動させる電力を提供するが、その中の前記電源４０は、グラフェン電池とすることができるが、これに限らない。
【００１４】
上記に述べたマイクロプロセッサ３０は、特定用途向け集積回路(ＡＳＩＣ)とすることができ、前記マイクロプロセッサ３０のもう一つの実施形態は、前記第一通信モジュール２０と統合しシステム・オン・チップ(ＳＯＣ)とすることができる。
【００１５】
図３を参照すると、本願発明の空気品質通報装置の最良の実施例３であり、本実施例の空気品質通報装置１は、前記第一通信モジュール２０を通じてもう一つの電気製品６の第三通信モジュール６０と連接することができ、前記第一通信モジュール２０と、前記第三通信モジュール６０と、は同じ規格の通信モジュールであり、その中の、前記空気品質通報装置１は、前記空気品質データを、前記第一通信モジュール２０を通じて前記電気製品６の前記第三通信モジュール６０へ送信し、使用者に、電子裝置６を通じて空気品質を確認させることができる。
【００１６】
上述の前記空気品質通報装置１の前記第一通信モジュール２０と、前記電子裝置６の前記第三通信モジュール６０と、は無線通信傳輸モジュールとすることができ、無線通信傳輸モジュールは主にｚｉｇｂｅｅ、ｚ-ｗａｖｅ、ＲＦ、Ｂｌｕｅｔｏｏｔｈ、ｗｉｆｉ、ＥｎＯｃｅａｎなどの技術を採用でき、進行無線通信の伝送作業を実施するが、これに限らない。このほか、前記第一通信モジュール２０と前記第三通信モジュール６０は、有線通信傳輸モジュールとすることもでき、有線通信伝送モジュールは主にＵＳＢ、ＲＳ４８５、ＲＳ２３２、Ｍｏｄｂｕｓ、ＫＮＸなどの通信インターフェースを採用し有線通信伝送作業を実施するが、これに限らない。
【００１７】
図４を参照すると、本願発明の空気品質通報処理装置の最良の実施例４であり、かつこの実施例は前述の実施例とほぼ同じであるが、本実施例の第一通信モジュール２０の具体的な実施方式は、有線通信伝送モジュールであり、主にＵＳＢ、ＲＳ４８５、ＲＳ２３２、Ｍｏｄｂｕｓ、ＫＮＸなどの通信インターフェースを採用し、有線通信伝送作業を実施し、前記有線通信モジュールを通して電子裝置７と電気的に連接し、前記電子裝置７が前記第一連接モジュール２０と接続する際、前記電子裝置７の電源(図示していない)は、前記空気品質検測裝置１に電力を提供することで、前記空気品質通報装置１がスムーズに動作し、且つ、前記第一通信モジュール２０が受信した前記空気品質データと連接することにより、使用者に前記電子裝置７の表示ユニット(図なし) を通して、前記空気品質データを観察させることができる。
【００１８】
上述の前記電子裝置７は、固定式電子裝置とすることができ、例えばデスクトップ型パソコン、もしくはポータブル式電子裝置、タブレットパソコン、ノート型パソコン、携帯電話、もしくは腕時計、スマートブレスレット、スマートグラスなど表示機能を有する電子裝置のようなウェアラブルデバイスとすることができるが、これに限らない。上述の前記電子裝置７を通して電力を空気品質通報装置１まで提供することで、前記空気品質通報装置１を使用者の手元の電子裝置７により、作動の電力を取得させることができ、並びに作動後の前記空気品質データを電子裝置７に提供し、使用者に簡単に前記空気品質データを取得させることができる。
【００１９】
このほかに、上述の空気品質通報装置１は、積載パーツ(図なし)を設置することができ、前記積載パーツは、帽子、眼鏡、ネックレス、イヤリング、イヤホン、衣服、ポケット、ズボン、腕時計、ブレスレット、携帯電話、ポータブルバッテリ、携帯電話アクセサリ、携帯電話保護ケース、マスク、財布、ハンドバッグ、靴、キーホルダー、ベルトのうちの一つとすることができ、使用者が外出する時に常に身に着け、携帯する物であり、前記空気品質通報装置１を常に日常的に使う物に設置し、外観を良くするだけではなく、実用性も向上させ、使用者の負担を増やさず、使用者が外出するときに空気品質通報装置１を携帯せず空気品質を検測できないという煩わしさを避けることができる。加えて、本願発明の空気品質通報装置１は、積載パーツに取り付けることができるが、これに限らない。
【００２０】
図５を参照すると、本願発明の空気品質通報装置の最良の実施例５であり、前述の前記等実施例とほぼ同じであり、本実施例の前記空気品質通報装置１は、前記ポータブル式電子裝置９内に設置し、前記ポータブル式電子裝置９は、さらに表示ユニット９０と、マイクロプロセッサ９１及び電源９２と、を包含し、図のように前記マイクロプロセッサ９１は、前記アクチュエータセンサモジュール１０と、電気的に連接し、前記空気品質データを受信しており、前記アクチュエータ１３を制御することもでき、前記電源９２は、マイクロプロセッサ９１と、電気的に連接し、前記空気品質通報装置１に作動の電力を提供し、前記表示ユニット９０は、前記マイクロプロセッサ９１と、電気的に連接し、前記マイクロプロセッサ９１が送信した前記空気品質データを受信し、前記表示ユニット９０によって使用者に参考を提示する。
【００２１】
本実施例のポータブル式電子裝置９は、携帯電話、タブレットパソコンまたはノート型パソコンと、することができ、或いは、ウェアラブルデバイスとすることができ、腕時計、スマートブレスレットまたはスマート眼鏡などがあるが、これに限らず、前記アクチュエータセンサモジュール１０と前記ポータブル式電子裝置９と、を結合させることにより、使用者が前記ポータブル式電子裝置９を携帯した際、前記アクチュエータセンサモジュール１０により使用者の周りの空気品質を検測することができ、並びに前記ポータブル式電子裝置９により即座に現在の空気品質データを表示し、使用者に空気品質が人体に危害があるかどうか判断させる。
【００２２】
上述の前記空気品質データは酸化炭素濃度、二酸化炭素濃度、酸素濃度、微小粒子(ＰＭ２.５)濃度、浮遊粒子(ＰＭ１０)濃度、オゾン(Ｏ３)濃度、揮發性有機化合物(ＶＯＣ)濃度、二酸化硫黄濃度、二酸化窒素濃度、濕度濃度などのデータの一つまたは組み合わせを包含しており、このほかに、前記空気品質データはさらにウィルスデータ、細菌データ、微生物データなどのデータの一つまたはその組み合わせを包含している。
【００２３】
以上により、使用者は空気品質通報装置１により前記空気品質データを獲得した後、周りの空気品質が良いか人体に危害を与えるか否か確認し、空気品質が不良または人体の健康に危害を与える恐れがあるとき、前記第一通信モジュール２０により前記空気品質データを前記空気品質処理装置８の前記第二通信モジュール８０まで送り、前記空気品質データの内容により起動、前記空気品質処理装置８を制御し、空気品質を改善する。
【００２４】
そのうち、前記空気品質処理装置８は、空気清淨機、除湿器、排気ファン、電動ドア、電動窓、自動クリーニングロボット、エアコンなどとすることができるが、これらに限らず、空気品質処理装置の起動により、使用者の周りの空気品質を即時に改善でき、かつ使用者の周りの空気品質が改善された後、前記空気品質処理装置８は、前記空気品質通報装置１が送信した前記空気品質データを受信した後、即座に作動を停止し、効果のないエネルギの浪費を避ける。
【００２５】
さらに、前記空気品質処理装置８の前記第二通信モジュール８０が、前記空気品質データを受信した後、即座にスマート家電処理メカニズムを実行でき、そのうち、前記空気品質処理装置８は、スマート家電にすることができるがこれに限らず、スマート家電処理メカニズムは、前記少なくとも一つのスマート家電を起動し、スマート家電は、空気清淨機、除湿器、排気ファン、電動ドア、電動窓、自動クリーニングロボット、エアコンなどとすることができるが、これに限らず、一つまたは複数のスマート家電を通じて、同時に作動して空気品質を改善している。例えば、電動ドアと、電動窓と、を同時に閉め、空気清淨機を起動し、微小粒子や浮遊粒子などを除去する。
【００２６】
図６Ａ、図６Ｂを参照すると、本願発明の実施例において、前記アクチュエータ１３は、流体アクチュエータとして説明し、以下の説明は、流体アクチュエータが、前記アクチュエータ１３と同等であることを意味する。本願発明の流体アクチュエータ１３は、圧電アクチュエータポンプの驅動構造とすることができ、もしくは微小電気機械システム(ＭＥＭＳ) ポンプの驅動構造とすることができる。本実施例は以下、圧電アクチュエータポンプの流体アクチュエータ１３の作動により説明を行う。
【００２７】
図６Ａと図６Ｂを参照すると、流体アクチュエータ１３は、吸気板１３１と、共振片１３２と、圧電アクチュエータ１３３と、絶縁片１３４ａと、１３４ｂ及び導電片１３５と、などの構造を包含し、そのうち、前記圧電アクチュエータ１３３は、前記共振片１３２と、対応し設置し、吸気板１３１、共振片１３２、圧電アクチュエータ１３３、絶縁片１３４ａ、導電片１３５ともう一つの絶縁片１３４ｂなど順に重ねて設置し、組み立てた断面図が図８となる。
【００２８】
本実施例において、前記吸気板１３１は、少なくとも一つの吸気口１３１ａを有し、前記吸気口１３１ａの数は４つが好ましいが、これに限らない。前記吸気口１３１ａは、前記吸気板１３１を貫通し、流体を裝置外から提供し、大気圧に順応するために少なくとも一つの前記吸気口１３１ａから前記流体アクチュエータ１３の中に流入する。前記吸気板１３１は、少なくとも一つの合流ガイド１３１ｂを有し、前記吸気板１３１のもう一つの表面にある少なくとも一つの前記吸気口１３１ａに対応して設置する。前記合流ガイド１３１ｂの中心交流部において中心凹部１３１ｃを有し、かつ前記中心凹部１３１ｃは、前記合流ガイド１３１ｂと、互いに連通おり、それにより少なくとも一つの前記吸気口１３１ａから前記合流ガイド１３１ｂの流体が進入し中心凹部１３１ｃまで合流し、流体の輸送が実現する。本実施例において、前記吸気板１３１は、前記吸気口１３１ａと、前記合流ガイド１３１ｂと、前記中心凹部１３１ｃと、を有し、 かつ前記中心凹部１３１ｃにおいて、集まった流体の合流チャンバを形成し、流体を一時的に保存する。いくつかの実施例において、前記吸気板１３１の材質はステンレス鋼などで構成されるがこれに限らない。もう一つの実施例において、前記中心凹部１３１ｃに構成された合流チャンバの深度と、前記合流ガイド１３１ｂの深度は同じであるが、これに限らない。前記共振片１３２は、フレキシブルな材質で構成されるが、これに限らない。前記共振片１３２において一中空孔洞１３２ｃを有し、前記吸気板１３１にある前記中心凹部１３１ｃに対応して設置し、流体を流通させる。その他の実施例において、前記共振片１３２は銅で構成されるが、これに限らない。
【００２９】
前記圧電アクチュエータ１３３は、懸浮吊１３３１と、外枠１３３２と、少なくとも１つのフレーム１３３３と、圧電片１３３４から組み立てられ、そのうち、前記圧電片１３３４は、前記懸吊板１３３１の第一表面１３３１ｃに貼り付けられ、電圧を加えることで変形させ、前記懸吊板１３３１を駆動し、湾曲振動させるために用いられ、少なくとも一つの前記フレーム１３３３は、前記懸吊板１３３１と、前記外枠１３３２と、の間に連接し、本願実施例において、前記フレーム１３３３は、前記懸吊板１３３１と前記外枠１３３２と、の間に連接し、その両端は前記外枠１３３２と、前記懸吊板１３３１にそれぞれ連接し、弾性支持を提供しており、且つ前記フレーム１３３３と、前記懸吊板１３３１及び前記外枠１３３２の間には、更に少なくとも一つの間隙１３３５を有し、少なくとも一つの前記間隙１３３５は、前記流体通路を互いに連通し、流体が流通するために用いられる。特筆すべきは、前記懸吊板１３３１と、前記外枠１３３２と、前記フレーム１３３３と、の形態及び数量は、上述の実施例に限らず、且つ、実際の要求によって変化できる。その他に、前記外枠１３３２は、前記懸吊板１３３１の外側を囲繞して設置され、且つ、電気的連接するために用いる外向き凸出する導電ピン１３３２ｃを有するが、これに限らない。 
【００３０】
前記懸浮吊１３３１は、階段状の構造であり（図７に示す）、即ち、前記懸浮吊１３３１の第二表面１３３１ｂは、更に凸部１３３１ａを有し、前記凸部１３３１ａは円形凸起構造とすることができるが、これに限らない。前記懸浮板１３３１の前記凸部１３３１ａは、前記外枠１３３２の第二表面１３３２ａと、同一の平面にあり、且つ、前記懸浮吊１３３１の前記第二表面１３３１ｂ及び前記フレーム１３３３の第二表面１３３３ａもまた、同一平面上にあり、前記懸浮板１３３１の前記凸部１３３１ａ及び前記外枠１３３２の前記第二表面１３３２ａは、前記懸浮板１３３１の前記第二表面１３３１ｂ及び支持体１３３３の前記第二表面１３３３ａとの間に特定の深度を有している。前記懸浮板１３３１の前記第一表面１３３１ｃは、前記外枠１３３２の前記第一表面１３３２ｂ及び、前記フレーム１３３３の前記第一表面１３３３ｂは、同一の平面構造を有し、前記圧電片１３３４は、平坦な前記懸吊板１３３１の前記第一表面１３３１ｃに貼り付けられている。他の実施例において、前記懸吊板１３３１の形状は、両面が平面である板状正方形構造とすることもできるが、これに限らず、実際の状況に応じて変更することができる。いくつかの実施例において、前記懸吊板１３３１と、前記フレーム１３３３と、前記外枠１３３２は、一体形成構造とすることができ、且つ、ステンレス鋼などの金属板から構成することができるが、これに限らない。また、他の実施例においては、前記圧電片１３３４の長辺は、前記懸吊板１３３１の長辺よりも小さい。他の実施例においては、前記圧電片１３３４の長辺は、前記懸吊板１３３１の長辺と同等であり、且つ、前記懸吊板１３３１に対応する板状正方形構造に設計されるが、これに限らない。
【００３１】
本願実施例において、図６Ａ示すように、前記流体アクチュエータ１３にある前記絶縁片１３４ａ、導電性片１３５、もう一つの前記絶縁片１３４ｂの順に前記圧電アクチュエータ１３３下部に対応して配置され、且つ、形態は、前記圧電アクチュエータ１３３の前記外枠１３３２の形態と、おおよそ同じである。これらの実施において、前記絶縁片１３４ａ、１３４ｂは、例えばプラスチック等の絶縁素材から構成されるがこれに限らず、機能絶縁を提供するものである。その他の実施例において、前記導電片１３５は、例えば金属材質などの導電性材質から構成されるがこれに限らず、導電効能を提供するものである。本願実施例において、前記導電性片１３５に導電ピン１３５ａを設置し、導電効能を実現してもよい。
【００３２】
本願実施例において、図８に示すように、前記流体アクチュエータ１３は、前記吸気板１３１、前記共振片１３２、前記圧電アクチュエータ１３３、前記絶縁片１３４ａ、前記導電片１３５、もう一つの前記絶縁片１３４ｂの順で、積み重ねてなり、且つ前記共振片１３２と、前記圧電アクチュエータ１３３の間には間隙ｈを有しており、本願実施例において、前記共振片１３２及び前記圧電アクチュエータ１３３の前記外枠１３３２周辺との間にある前記間隙ｈに、例えば導電性ペーストなどの充填剤を充填することで、前記共振片１３２と、前記圧電アクチュエータ１３３にある前記懸吊板１３３１の凸部１３３１ａの間の間隙ｈの深度を維持でき、流体を導引し、迅速に流動することができ、且つ、前記懸吊板１３３１の前記凸部１３３１ａと、前記共振片１３２が適切な距離を互いに保持するため、干渉が減少し、騒音が発生も低減する。もう一つの実施例において、前記圧電アクチュエータ１３３の前記外枠１３３２の高度を上げることもでき、これにより、前記共振片１３２と組み立てる際に間隙が増加するが、これに限らない。
【００３３】
図８、図６Ａ及び図６Ｂを参照すると、本願実施例において、前記進気板１３１、前記共振板１３２、前記圧電アクチュエータ１３３の順に組み立てた後、前記共振片１３２は、可動部１３２ａ及び固定部１３２ｂを有し、前記可動部１３２ａは、前記進気板１３１と共に合流流体のチャンバを形成することができ、且つ、前記共振片１３２と、前記圧電アクチュエータ１３３と、の間に第一チャンバ１３０を形成し、流体を一時的保存するために用いられ、前記第一チャンバ１３０は、前記共振片１３２の前記中空洞孔１３２ｃを通じて、前記進気板１３１の前記中心凹部１３１ｃがチャンバと互いに連通し、且つ前記第一チャンバ１３０の両側は、前記圧電アクチュエータ１３３の前記フレーム１３３３と間にある前記間隙１３３５により、流体通路と互いに連通している。
【００３４】
図６Ａと、図６Ｂと、図８と、図９Ａから図９Ｅまでを参照すると、本願発明に係る前記流体アクチュエータ１３の動作過程を以下に簡単に示す。前記流体アクチュエータ１３が作動した際、前記圧電アクチュエータ１３３は、圧電駆動して前記フレーム１３３３により支持され、垂直方向に往復振動を実施する。図９Ａに示すように、前記圧電アクチュエータ１３３が圧電駆動を受け、下向きに振動した際、前記共振片１３２は、軽くて薄いプレート状構造であり、前記圧電アクチュエータ１３３が振動した時、前記共振片１３２も共振に追随して垂直方向に往復振動を実施し、即ち前記共振片１３２が対応する前記中心凹部１３１ｃ部分もまた、追随して湾曲振動変形し、即ち、前記中心凹部１３１ｃの部分は、前記共振片１３２の前記可動部１３２ａに対応し、前記圧電アクチュエータ１３３が下向に湾曲した際、前記共振片１３２は、前記中心凹部１３１ｃの前記可動部１３２ａに対応し、流体の投入及び、押圧及び圧電アクチュエータ１３３の振動のリードし、前記圧電アクチュエータ１３３に追随して、下向きに湾曲振動変形することで、前記吸気板１３１上に少なくとも一つの前記吸気口１３１ａから流体が進入し、少なくとも一つの前記合流ガイド１３１ｂを通して、中心である前記中心凹部１３１ｃに合流し、前記共振片１３２上と、前記中心凹部１３１ｃに対応して設置される前記中空孔洞１３２ｃが、下向きに前記第一チャンバ１３０中に流入する。その後、前記圧電アクチュエータ１３３の振動を受けて、前記共振片１３２も、追随して共振し、垂直往復振動を実施しており、図９Ｂに示すように、前記共振片１３２の前記可動部１３２ａも、追随して下向きに振動し、並びに前記圧電アクチュエータ１３３の前記懸吊板１３３１の前記凸部１３３１ａ上に張り付き、当接することで、前記懸吊板１３３１の前記凸部１３３１ａ以外のエリアと、前記共振片１３２の両側の固定部１３２ｂとの間にある合流チャンバ間の距離は小さくならず、並びに、前記共振片１３２の変形により、前記第一チャンバ１３０の体積は圧縮され、前記第一チャンバ１３０中を流れる流通空間を閉鎖し、流体が押圧され、その両側に流動し、前記圧電アクチュエータ１３３の前記フレーム１３３３の間にある前記間隙１３３５を下向きに通り超えて流動する。その後、図９Ｃに示すように、前記共振片１３２の前記可動部１３２ａは、上向きに湾曲振動変形して、初期位置に戻り、且つ、前記圧電アクチュエータ１３３は、電圧駆動を受け、上向きに振動し、同様に前記第一チャンバ１３０の体積を押圧することで、前記圧電アクチュエータ１３３は上向きに上昇し、前記第一チャンバ１３０内の流体が両側に流れることができ、流体が前記吸気板１３１上の少なくとも一つの前記吸気孔１３１ａから進入し、前記中心凹部１３１ｃにより形成されるチャンバ内に流入される。この後、図９Ｄに示すように、前記共振片１３２は、前記圧電アクチュエータ１３３の駆動を受けて上向きに上昇して振動し、上向きに共振ており、この際、前記共振片１３２の前記可動部１３２ａも追随して上向きに振動し、流体が前記吸気板１３１上の少なくとも一つの前記吸気孔１３１ａに進入し続けるのを、低減し、前記中心凹部１３１ｃにより形成されるチャンバ内に流入する。最後に、図９Ｅに示すように、前記共振片１３２の前記可動部１３２ａも、初期位置に戻り、実施様態からわかるように、前記共振片１３２が垂直往復振動する際、前記圧電アクチュエータ１３３と、の間の間隙ｈは、垂直変位最大距離を増加させており、言い換えると、前記二つの構造間に前記間隙ｈを設置することで、前記共振片１３２において共振時に、最大振幅の上下変位を発生させることができる。前記流体アクチュエータ１３の流道設計中に圧力勾配を発生させることで、流体が高速で流動し、並びに流道進出方向の抵抗の差異を通して、流体は、吸引端から排出端に輸送され、流体輸送作業を完成させており、即ち、排出端の圧力状態下において、流体は、通路に流入し続けることができ、並びに消音効果も達成でき、図９Ａから図９Ｅにおける前記流体アクチュエータ１３の動作を繰り返すことで、前記流体アクチュエータ１３は外から内へ流体輸送を発生することができる。
【００３５】
以上により、本願発明の提供する空気品質通報装置は、アクチュエータセンサモジュール及び第一通信モジュールを包含し、前記アクチュエータセンサモジュールは、空気品質通報装置付近の空気を吸収し、検測後、空気品質データを算出し、前記空気品質通報装置の表示ユニット、または身の回りの電子裝置と連接し、前記電子裝置の表示ユニットから、使用者が呼吸している空気の中に何種類の気体があり、それが人体に危害を与えるかどうか知ることができ、空気品質をいつでもどこでも検測することを達成し、このほかに、空気品質通報装置は、一空気品質処理装置を連接することができ、空気品質が悪くなった時、即座に起動し迅速に応答することができ、空気品質処理装置を用い現在の空気品質を改善し、かつ前記空気品質通報装置は前記空気品質処理装置が作動する時、空気品質を観測し続け、前記空気品質処理装置の空気品質が效率的に改善されたのか確認することができ、空気品質が確実に改善され、人体への危害がないと判断された時、前記空気品質処理装置はすぐに停止することができ、エネルギの浪費をさける。また、空気品質通報装置は身の回りの物に設置することができ、前記身の回りの物は使用者が頻繁につける装飾品、電子裝置であり、讓使用者が装飾品またはポータブル電子装置を身に着けて外出する時、一緒に空気品質通報裝置を持ち運ぶことができ、空気品質通報装置を忘れる確率を減少させる。よって、本願発明の空気品質通報裝置はいつでもどこでも空気品質を観測することができ、即座に空気品質を報告、処理、改善することができ、空気品質が良い時は、迅速關閉迅速に空気品質処理装置を停止でき、エネルギを節約する。よって、本願発明の空気品質通報装置は産業価値があると思慮されるため、特許申請をするものである。
【００３６】
本願発明に属する技術分野において通常の知識を有する者であればさまざまな工夫と修飾が可能であるが、それらはいずれも本願発明の特許請求の範囲が求める保護を逸脱するものではない。
【符号の説明】
【００３７】
１：                空気品質通報装置
１０：              アクチュエータセンサモジュール
１１：              センサ
１３：              アクチュエータ、流体アクチュエータ
１３０：            第一腔室
１３１：            導流板
１３１ａ：          導流孔
１３１ｂ：          合流ガイド
１３１ｃ：          中心凹部
１３２：            共振片
１３２ａ：          可動部
１３２ｂ：          固定部
１３２ｃ：          中空孔洞
１３３：            圧電アクチュエータ
１３３１：          懸吊板
１３３１ａ：        凸部
１３３１ｂ：        第二表面
１３３１ｃ：        第一表面
１３３２：          外枠
１３３２ａ：        第二表面
１３３２ｂ：        第一表面
１３３２ｃ：        導電接?
１３３３：          フレーム
１３３３ａ：        第二表面
１３３３ｂ：        第一表面
１３３４：          圧電片
１３３５：          間隙
１３４ａ、１３４ｂ：絶縁片
１３５：            導電片
１３５ａ：          導電ピン
ｈ：                間隙
２０：              第一通信モジュール
３０、９１：        マイクロプロセッサ
４０、９２：        電源
５０、９０：        表示ユニット
６、７：            電子裝置
６０：              第三通信モジュール
８：                空気品質処理装置
８０：              第二通信モジュール
９：                ポータブル式電子裝置
【図１】
2019027777.tif 000003
【図２】
2019027777.tif 000004
【図３】
2019027777.tif 000005
【図４】
2019027777.tif 000006
【図５】
2019027777.tif 000007
【図６Ａ】
2019027777.tif 000008
【図６Ｂ】
2019027777.tif 000009
【図７】
2019027777.tif 000010
【図８】
2019027777.tif 000011
【図９Ａ】
2019027777.tif 000012
【図９Ｂ】
2019027777.tif 000013
【図９Ｃ】
2019027777.tif 000014
【図９Ｄ】
2019027777.tif 000015
【図９Ｅ】
2019027777.tif 000016